(57)【要約】【課題】図体の大きい既設防水パンは少なくとも残して再利用し、古い浴室ユニットを新しく改装する方法。【解決手段】用いる壁パネル９や天井パネルは、既設防水パンの内法（Ｐ０／Ｑ０）の変動に合わせて、一定間隔（例えば、１０ｍｍ間隔）で幅寸法（又は長辺・短辺寸法）が異なる複数種を揃えておく。既設防水パン６の内法（Ｐ０／Ｑ０）のバラツキに合わせて、それらから適当なものを選んで、壁パネルの表面（前面）と防水パン内法面との差（ｄ）を所定値以内（例えば、２．５ｍｍ以内）に調整する。少なくとも既設防水パン６は残して、浴室ユニットを改装できる。【選択図】図１
2004084205.tif 000002
【特許請求の範囲】
【請求項１】
少なくとも既設防水パンは残して改装する浴室ユニットの改装方法。
【請求項２】
既設防水パンの内法に適合する新たな壁パネル及び新たな天井パネルを用いて改装する、請求項１の改装方法。
【請求項３】
新たな壁パネル及び新たな天井パネルは、一定間隔の幅寸法で揃った複数種類の中から適宜に選び、壁パネルの表面と防水パン内法面との差は所定値以内に調整する、請求項２の改装方法。
【発明の詳細な説明】
【０００１】
【発明の属する技術分野】
本発明は、マンションや一般住宅等に既に設置されている浴室ユニットの改装方法に関するものである。
【０００２】
【従来の技術】
図４に、一例の浴室ユニット（既設）の平面図を示した。浴室ユニットを長年使用すると、室内の高温多湿が誘因となり、床面、壁面又は天井面に除去困難な黒カビ等が発生し、外観不良やカビ臭等の問題が起こってくる。壁パネル及び天井パネルが鋼板製のものであると、錆や腐食が発生し、これが膨れや剥れに進展して、見苦しいばかりでなく防水性も問題となる。
【０００３】
このような問題が生じた場合に、従来よく行なわれている方法の一つは、その損傷箇所だけを部分的に補修（例えば、塗装やフィルム貼付）する方法である。
また、従来よく行なわれている別の方法は、新築若しくは新設と同様に、浴室ユニットを全面的に改装する方法である。この方法においては、先ず水道やガスの元栓を止め、浴室内の湯水栓、ガス栓、換気扇等の末端機器を外し、排水口、ドア、額縁等を外し、壁パネル、天井パネルを外し、支柱（コーナ支柱及びフラット支柱）を外して、浴槽及び防水パンを撤去した後、新規に、防水パン及び浴槽を設置して、支柱（コーナ支柱及びフラット支柱）を取り付け、天井パネル、壁パネルを取り付け、ドア、額縁を取り付け、浴室ユニットを完成させる。
【０００４】
【発明が解決しょうとする課題】
しかし、前者の部分的補修方法では、長い年月を経過しないうちに補修箇所から錆や腐食が再発し、再度の補修が必要となる。
また、後者の全面的改装方法は、新築若しくは新設同様な真新しい浴室ユニットが得られる利点があるが、改装に時間がかかり、廃棄物も大量に発生する。
本発明では、既設浴室ユニットの構成部品のうちで再利用可能なものはできるだけ使う（廃棄物を極力出さない）との着想から、比較的故障が少なく、図体の大きい既設防水パンは少なくとも残して再利用し、古い浴室ユニットを新しく改装する方法を提供することを目的とする。
【０００５】
【課題を解決するための手段】
浴室ユニットのサイズは比較的小さいものから比較的大きいものまで各種あり、この業界では、例えば、”１０１４”（短辺側内法が公称１０００ｍｍ、長辺側の内法が公称１４００ｍｍ）とか、”１１１６”（短辺側内法が公称１１００ｍｍ、長辺側の内法が公称１６００ｍｍ）とか、”１２１６”（短辺側内法が公称１２００ｍｍ、長辺側の内法が公称１６００ｍｍ）などと略称されている。
ところで、本発明者らは、多数の既設浴室ユニットの寸法を実測して整理する過程で、同じ略称で呼ばれている浴室ユニットであっても、メーカが違えば、浴室ユニット（あるいは、防水パン）の寸法（内法寸法）は無視できない相違（変動；バラツキ）があることが分かってきた。例えば、”１１１６”を例にとると、短辺側が概ね１０９５ｍｍ〜１１２５ｍｍの範囲、長辺側が概ね１５９５ｍｍ〜１６２５ｍｍの範囲であり、短辺側も長辺側も約３０ｍｍの変動幅である。この約３０ｍｍの変動幅は、その他の”１０１４”や”１２１６”の短辺側及び長辺側もについても同じような事情であった。
【０００６】
このような変動幅のある既設防水パンを残して（すなわち、再利用して）、既設浴室ユニットを改装しようとする場合、用いる壁パネルや天井パネルは、その既設防水パンの寸法に適合させて、少しずつ大きさの違ったものを複数種類予め用意しておけば簡単に対応できる。そこで、本発明を完成するに至った。
【０００７】
すなわち、本発明は、少なくとも既設防水パン６は残して改装する浴室ユニットの改装方法である。
【０００８】
ここで、用いる壁パネル９や天井パネルは、好ましくは、既設防水パンの内法（Ｐ０／Ｑ０）に適合させて新たに製作したものであり、これらは予め用意しておく。
【０００９】
また、上記壁パネル９や天井パネルは、一定間隔（例えば、１０ｍｍ間隔）で幅寸法（又は長辺・短辺寸法）が異なる複数種を揃えておき、既設防水パン６の内法（Ｐ０／Ｑ０）のバラツキに合わせて、それらから適当なものを選んで、壁パネルの表面（前面）と防水パン内法面との差（ｄ）を所定値以内（例えば、２．５ｍｍ以内）に調整することが好ましい。
【００１０】
【発明の実施の形態】
以下、図１〜図４を参照しながら、既設浴室ユニットが”１１１６”である場合を例にとり、具体的に本発明を説明する。
既設浴室ユニットが”１１１６”である場合、予め用意しておく壁パネルの幅寸法は、浴室ユニット短辺用としては、例えば、１１００ｍｍ、１１１０ｍｍ、１１２０ｍｍの３種類とし、浴室ユニット長辺用としては、例えば、１６００ｍｍ、１６１０ｍｍ、１６２０ｍｍの３種類などとすることができる。
【００１１】
既設防水パン短辺側の内法（Ｑ０）が、実測１１００ｍｍであった場合には、幅寸法が１１００ｍｍの壁パネルを用いる。そうすれば、既設防水パンの内法面と壁パネル前面との位置関係は、図１に示すように、壁パネル前面を既設防水パンの内法面にぴったり合わすことができる。また、既設防水パン短辺側の内法（Ｑ０）が、例えば、実測１１１０ｍｍ（あるいは１１２０ｍｍ）であった場合には、幅寸法が１１１０ｍｍ（あるいは１１２０ｍｍ）の壁パネルを用いればよい。上記同様に、壁パネル前面を既設防水パンの内法面にぴったり合わすことができる。
【００１２】
既設防水パン短辺側の内法（Ｑ０）が実測１１２５ｍｍ（上限）であった場合には、幅寸法１１２０ｍｍの壁パネルを用いれば、壁パネルの表面（前面）と防水パン内法面との差（ｄ）は、（１１２０ｍｍ−１１２５ｍｍ）÷２＝−２．５ｍｍであり、既設防水パンの内法面と壁パネル前面との位置関係は、図２に示すように、壁パネル前面が防水パン内法面より内側へ２．５ｍｍ（両側で５．０ｍｍ）せり出した状態（改装前よりも浴室内はやや狭い状態）となる。
【００１３】
既設防水パン短辺側の内法（Ｑ０）が実測１０９５ｍｍ（下限）の場合には、幅寸法１１００ｍｍの壁パネルを用いれば、壁パネルの表面（前面）と防水パン内法面との差（ｄ）は、（１１００ｍｍ−１０９５ｍｍ）÷２＝２．５ｍｍであり、既設防水パンの内法面と壁パネル前面との位置関係は、図３に示すように、壁パネル前面が防水パン内法面より外側へ２．５ｍｍ（両側で５．０ｍｍ）張り出した状態（改装前よりも浴室内はやや広い状態）となる。
【００１４】
浴室ユニット長辺側における、既設防水パンの内法面と壁パネル前面との位置関係も上記と同様である。既設防水パンの内法（Ｐ０）が１５９５ｍｍ〜１６２５ｍｍの範囲内に収まる限り、壁パネルの表面（前面）と防水パン内法面との差（ｄ）を±２．５ｍｍ以内に収めることができる。
【００１５】
なお、予め用意しておく壁パネルや天井パネルの幅寸法違いの種類は、上のように３種とする代わりに、２種類としてもよい。２種類とする場合は、浴室ユニット短辺用としては、例えば、１１００ｍｍ及び１１１５ｍｍの２種類とし、浴室ユニット長辺用としては、例えば、１６００ｍｍ及び１６１５ｍｍの２種類などとする。この場合の壁パネルの表面（前面）と防水パン内法面との差（ｄ）は、概ね±５ｍｍ以内に収めることができる。
【００１６】
既設浴室ユニットを改装する場合は、先ず水道やガスの元栓を止め、浴室内の湯水栓、ガス栓、換気扇等の末端機器を外し、ドア、壁パネル、天井パネル等を外し、支柱（コーナ支柱及びフラット支柱）を外し、浴槽を撤去した後、新規に、浴槽を設置して、支柱（コーナ支柱及びフラット支柱）を取り付け、予め用意している天井パネル及び壁パネルから適当なサイズのものを選んで取り付け、ドアを取り付け、浴室ユニットを完成させる。なおこの場合に、防水パン以外の他の浴室ユニット部品（例えば、浴槽、ドアなど）の中で使用可能なものは、（新品ではなく）再利用してもよい。
【００１７】
【作用及び効果】
本発明の改装方法では、図体の大きい既設防水パンを廃棄物として出さないので、地球環境にやさしい。また、既設防水パンを再利用する分、短い工事期間で浴室を改装できる。
既設浴室ユニット（又は防水パン）のサイズはいろいろであったとしても、この業界の略称（例えば、”１０１４”や”１１１６”等）が分かれば、メーカが違っても、その内法の変動（バラツキ）は所定範囲内であり、予め、複数種類の寸法の部品（壁パネルや天井パネル）を揃えることで容易に改装が行え、壁パネルの表面（前面）と防水パン内法面との差も所定値以内に調整することができる。
また、このように壁パネル表面（前面）と防水パン内法面との差を所定値以内に調整することで、壁パネル及び天井パネルを、既設防水パンを介して安定に支持することができ、強度に不安のない改装浴室ユニットを提供できる。
【図面の簡単な説明】
【図１】本発明の改装方法で改装された浴室ユニットにおける、既設防水パンの内法面と壁パネル前面との位置関係を示す断面図。壁パネル前面が既設防水パンの内法面にぴったり合っている。
【図２】既設防水パンの内法面と壁パネル前面との位置関係を示す断面図で、壁パネル前面が既設防水パンの内法面より内側へ２．５ｍｍせり出した状態。
【図３】既設防水パンの内法面と壁パネル前面との位置関係を示す断面図で、壁パネル前面が既設防水パンの内法面より外側へ２．５ｍｍ引っ込んだ状態。
【図４】防水パンの内法を示した既設浴室ユニットの平面図。
【符号の説明】
１：浴室ユニット　　６：（既設の）防水パン
９：壁パネル　　　１２：浴槽
１５：ドア（折戸）　１８：スペーサ
１９：防水テープ　　２０：コーキング材
Ｐ０：既設防水パン長辺側の内法
Ｑ０：防水パン短辺側の内法
Ｐ１、Ｐ２、Ｐ３：壁パネル間長辺側の内法
Ｑ１、Ｑ２、Ｑ３：壁パネル間短辺側の内法
ｄ：壁パネルの表面（前面）と防水パン内法面との差
【図１】
2004084205.tif 000003
【図２】
2004084205.tif 000004
【図３】
2004084205.tif 000005
【図４】
2004084205.tif 000006